(57)【要約】【課題】  上下で厚みの異なる状態で収納される製函前のラップカートンを、直立状態で安定して収納でき、反りの発生を効果的に抑制し得るラップカートン収納箱を提供する。【解決手段】  外箱１と、外箱内に敷設されるコの字状パット２からなり、コの字状パット２は、底板２ａと、底板の両側に立設する側片２ｂと、側片から外側に延びる延出片２ｃと、延出片の端部から垂下する垂下片２ｄを有し、垂下片２ｄが外箱１の側壁に当接して敷設されていることを特徴とする。【選択図】  図１
2006290390.tif 000002
【特許請求の範囲】
【請求項１】
製函前のラップカートンを収納するための収納箱であって、
外箱と、該外箱内に敷設されるコの字状パットからなり、
前記コの字状パットは、底板と、該底板の両側に立設する側片と、該側片から外側に延びる延出片と、該延出片の端部から垂下する垂下片を有し、該垂下片が前記外箱の側壁に当接して敷設されていることを特徴とするラップカートン収納箱。
【請求項２】
製函前のラップカートンを２段以上に積み重ねて収納するするために、下段に敷設された前記コの字状パットの延出片の上に、上段のコの字状パットの底板を載置したことを特徴とする請求項１に記載のラップカートン収納箱。
【発明の詳細な説明】
【技術分野】
【０００１】
本発明は、製函前のラップカートンを保管するための収納箱に関する。
【背景技術】
【０００２】
従来、図４の展開図に示すような製函前のラップカートン１０は、図５に示すように折り畳んだ状態で筒状に貼り合わされ、ダンボール箱に数十枚から百枚程度の単位で収納され、保管された後（あるいは直接）出荷されている。
【０００３】
ダンボール箱に製函前のラップカートンを収納する際には、後に纏めて取り出せるように図６に示すようにダンボール箱１１内にコの字状のパット１２を敷き、このパット１２上に収納安定性を考慮して長いフラップが延出しているＣ片及びＤ片を下側にして、図５に示した形態で収納される。
【０００４】
しかしながら、図５の形態において上側はＡ片、Ｂ片、Ｅ片及びＦ片とノコ刃１３を含めると五重なのに対し、下側はＣ片及びＤ片の二重であり、上側が厚く下側が薄いため、どうしても図６に示すように両端部に近いカートンほど斜めに収納されてしまう。このため、特に両端部に近いカートンに不均一な力が働き、その影響で反りが発生し易いといった問題があった。
【０００５】
ラップカートンに反りが生じていると、充填機にかける時、起きが悪かったり、カートンが開きにくくなり、製函のトラブルの原因となるため、カートン保存時に反りの発生を抑えることは極めて重要である。
【０００６】
ラップカートンに限らず、例えば書類や伝票、カタログ等を収納する場合、その自重によって書類等が撓んだり、曲がり癖が付いてしまうことは経験上明らかであるが、これを解消するために特許文献１及び特許文献２では、箱体内に別体の仕切板を位置調節可能に設置したものが提案されている。
【０００７】
【特許文献１】実公平７−４９４７号公報
【特許文献２】実開平５−５８３５３号公報
【発明の開示】
【発明が解決しようとする課題】
【０００８】
通常、書類や伝票、カタログ等は部分的に厚みが異なることがないため、特許文献１及び特許文献２で提案されているような仕切板を設けることにより、書類等をまっすぐに立てて収納することが可能であり、書類等が撓んだり、曲がり癖が付いてしまうのを防止することができる。
【０００９】
しかしながら、特許文献１及び特許文献２に記載のような仕切板では、前述のように上下で厚みの異なる状態で収納される製函前のラップカートンの反りを十分に抑制することができない。
【００１０】
そこで本発明は、上下で厚みの異なる状態で収納される製函前のラップカートンを、直立状態で安定して収納でき、反りの発生を効果的に抑制し得るラップカートン収納箱を提供することを目的とするものである。
【課題を解決するための手段】
【００１１】
上記課題を解決すべく成された本発明は、
製函前のラップカートンを収納するための収納箱であって、
外箱と、該外箱内に敷設されるコの字状パットからなり、
前記コの字状パットは、底板と、該底板の両側に立設する側片と、該側片から外側に延びる延出片と、該延出片の端部から垂下する垂下片を有し、該垂下片が前記外箱の側壁に当接して敷設されていることを特徴とする。
また、製函前のラップカートンを２段以上に積み重ねて収納するするために、下段に敷設された前記コの字状パットの延出片の上に、上段のコの字状パットの底板を載置したことを特徴とする。
【発明の効果】
【００１２】
本発明のラップカートン収納箱によれば、下側よりも厚みのある製函前のラップカートンの上側のみを、コの字状パットの側片で適度な力で押さえつけることができ、カートンのふっくら度を保ちながら直立状態で収納することができる。これにより、ラップカートンに反りを生じさせることなく長期に亘って収納・保管することができる。
【発明を実施するための最良の形態】
【００１３】
以下、本発明に係るラップカートン収納箱の実施形態例を図面に従って説明するが、本発明はかかる形態例に制限されるものではなく、本発明の要旨の範囲内で適宜の変更を加えることができるものである。
【００１４】
（第一の実施形態例）
図１は、本発明の第一の実施形態例に係るラップカートン収納箱を示す正面図であり、製函前のラップカートンを収納した状態を示している。図２は、本実施形態例に係るコの字状パットの斜視図である。これらの図において、１は外箱、２はコの字状パット、１０は図４の展開図に示したようなラップカートンである。
【００１５】
外箱１は前面が開口する直方体状のものである。この外箱１は、収納箱としての十分な強度を有するものであれば材質は特に限定されるものではないが、安価で軽いダンボールが最適である。また、ダンボール製であれば、ラップカートンを収納後、フラップ（不図示）を閉じ合わせ、接着テープを貼って全体を封緘することにより、簡単に倉庫に保管したり、出荷することができる。
【００１６】
コの字状パット２は、外箱内に載置される底板２ａと、底板２ａの両側に立設する側片２ｂと、側片２ｂから外側に延びる延出片２ｃと、延出片２ｃの端部から垂下する垂下片２ｄとからなる。このコの字状パット２も、安価で軽いダンボールが最適である。
【００１７】
ラップカートン１０は、安定性を考慮して長いフラップが延出しているＣ片及びＤ片を下側にして、図５に示すように折り畳み筒状に貼り合わされた状態でコの字状パット２の底板２ａ上に載置されて収納される。
【００１８】
コの字状パット２は外箱１に接着固定することもできるが、載置されているラップカートンをコの字状パットごと纏めて取り出せるように固定しないのが好ましい。この時、コの字状パット２が外箱１内で横ずれするとラップカートンを安定して収納することができないため、底板２ａの幅は外箱の内法幅と同一にするのが好ましい。
【００１９】
２つの側片２ｂは、収納されたラップカートンを両側から押さえつける部位である。この側片２ｂの高さは、収納するラップカートンの高さと同程度にするのが好ましい。側片２ｂが高過ぎても低過ぎても、カートンを直立状態で収納するのが難しくなる。
【００２０】
延出片２ｃは、ラップカートンを収納する空間の上部を狭め、下側よりも厚みのあるラップカートンの上側のみを、側片２ｂで効果的に押さえつけることができるようにするために設けられている。
【００２１】
垂下片２ｄは、外箱１の側壁に当接し、延出片２ｃの水平形態を保ち、側片２ｂ及び延出片２ｃとによって逆三角形を形成している。
【００２２】
以上の構成を有する本例のラップカートン収納箱によれば、下側よりも厚みのあるラップカートンの上側のみを側片２ｂで押さえつけることができるため、ラップカートンを直立状態で安定して収納することができる。このため、長期に亘ってラップカートンに反りを生じさせることなく収納・保管することができる。また、側片２ｂの外側に逆三角形状の空間が形成されることにより、クッション性が生まれ、適度な力でラップカートンの上部を側片２ｂで押さえつけることができ、カートンのふっくら度を保ちながら支持することができる。
【００２３】
本発明による効果を確認するために、本例のラップカートン収納箱と図６に示した従来例のラップカートン収納箱に収納し長期保管した後のカートンの起きトルクを測定した。その結果を表１に示す。
【００２４】
【表１】
2006290390.tif 000003
【００２５】
このように、本発明によるラップカートン収納箱ではカートンのふっくら度を保ちながら反りを生じさせることなく収納・保管できたため、起きトルクが小さく、長期保管後でも起きトルクの増加が僅かであった。このため、長期保管したカートンでも、ラップ充填機にかける際のトラブルを回避することができる。
【００２６】
（第二の実施形態例）
図２は、本発明の第二の実施形態例に係るラップカートン収納箱を示す正面図であり、製函前のラップカートンを収納した状態を示している。
【００２７】
本例のラップカートン収納箱は、製函前のラップカートン１０を２段に積み重ねて収納するために、下段に配設されたコの字状パット２（第一の実施形態例と同じもの）の延出片２ｃの上に、上段のコの字状パットの底板２ａを載置しているものである。
【００２８】
本発明に係るコの字状パットは、上部両端部に水平形態の延出片２ｃが存在するため、本例のように多段に積み上げることが可能であり、収納効率を高めることができる。このように多段構成とした場合にも、第一の実施形態例と同様にカートンのふっくら度を保ちながら直立状態で収納することができ、ラップカートンに反りを生じさせることなく長期に亘って収納・保管することができる。
【図面の簡単な説明】
【００２９】
【図１】本発明の第一の実施形態例に係るラップカートン収納箱を示す正面図である。
【図２】本発明の第一の実施形態例に係るコの字状パットの斜視図である。
【図３】本発明の第二の実施形態例に係るラップカートン収納箱を示す正面図である。
【図４】ラップカートンの一例を示す展開斜視図である。
【図５】図４のラップカートン折り畳んだ状態で示す図である。
【図６】従来例の説明図である。
【符号の説明】
【００３０】
１：外箱
２：コの字状パット
２ａ：底板
２ｂ：側片
２ｃ：延出片
２ｄ：垂下片
１０：ラップカートン
１１：ダンボール箱
１２：パット
１３：ノコ刃
【図１】
2006290390.tif 000004
【図２】
2006290390.tif 000005
【図３】
2006290390.tif 000006
【図４】
2006290390.tif 000007
【図５】
2006290390.tif 000008
【図６】
2006290390.tif 000009